(57)【要約】【課題】構造体を取り外しやすくすることができる駆動伝達装置及び画像形成装置を提供する。【解決手段】画像形成装置１０は、画像形成装置本体２０に対して着脱可能であって、モータ４８０から排出ロール３２０に駆動を伝達する伝達機構４００の少なくとも一部が収納されている伝達ユニット４３０と、伝達ユニット４３０を支持する中央側フレーム部材５４と、第１の螺子５２０等を用いて中央側フレーム部材５４に対して固定されていて、第２の螺子５３０を用いて伝達ユニット４３０に固定されている中間ブラケット部材５１０とを有し、中間ブラケット部材５１０は、後側から第１の螺子５２０が装着される第１の螺子孔５４０と、前側から第２の螺子５３０が装着される第２の螺子孔５５０とが形成されている。【選択図】図１１
2017040793.tif 000002
【特許請求の範囲】
【請求項１】
駆動源と、
前記駆動源から駆動が伝達されて回転する回転体と、
駆動伝達装置本体に対して着脱可能であって、前記駆動源から前記回転体に駆動を伝達する伝達機構の少なくとも一部が収納されている構造体と、
前記構造体を支持する支持部材と、
第１の固定具を用いて前記支持部材に対して固定されていて、第２の固定具を用いて前記構造体に固定されていて、前記構造体と前記支持部材とを結合する結合部材と、
を有し、
前記結合部材は、前記支持部材の一方の面側から前記第１の固定具が装着される第１の装着部と、前記支持部材の他方の面側から前記第２の固定具が装着される第２の装着部とが形成されている駆動伝達装置。
【請求項２】
前記結合部材は、前記構造体を重力方向における下側から支持する支持部を有する請求項１記載の駆動伝達装置。
【請求項３】
前記駆動伝達装置本体は、前記構造体を着脱するための開口部を形成可能であって、
前記構造体は、複数の前記第２の固定具を用いて前記結合部材に対して固定され、複数の前記第２の固定具にそれぞれ対応するように、複数の前記第２の装着部が形成されていて、
複数の前記第２の装着部は、前記開口部からの距離が大きいものほど、前記支持部材からの距離が大きくなるように配置されている請求項１又は２記載の駆動伝達装置。
【請求項４】
前記構造体は、前記第２の装着部から取り外された前記第２の固定具が落下することを防止する落下防止部を有する請求項１乃至３いずれか記載の駆動伝達装置。
【請求項５】
前記伝達機構は、前記回転体の回転方向を切り替える切替機構を有し、
前記切替機構は、前記構造体に収納されている請求項１乃至４いずれか記載の駆動伝達装置。
【請求項６】
駆動源と、
前記駆動源から駆動が伝達されて回転する回転体と、
駆動伝達装置本体に対して着脱可能であって、前記駆動源から前記回転体に駆動を伝達する伝達機構の少なくとも一部が収納されている構造体と、
前記構造体を支持する支持部材と、
を有し、
前記構造体は、前記支持部材の一方の面側からの作業で前記支持部材に対して装着可能であって、前記支持部材の他方の面側からの作業で前記支持部材から取り外し可能である駆動伝達装置。
【請求項７】
記録媒体に像を形成する像形成部と、
駆動源と、
前記駆動源から駆動が伝達されて回転し、記録媒体を搬送する回転体と、
画像形成装置本体に対して着脱可能であって、前記駆動源から前記回転体に駆動を伝達する伝達機構の少なくとも一部が収納されている構造体と、
前記構造体を支持する支持部材と、
第１の固定具を用いて前記支持部材に対して固定されていて、第２の固定具を用いて前記構造体に固定されていて、前記構造体と前記支持部材とを結合する結合部材と、
を有し、
前記結合部材は、前記支持部材の一方の面側から前記第１の固定具が装着される第１の装着部と、前記支持部材の他方の面側から前記第２の固定具が装着される第２の装着部とが形成されている画像形成装置。
【請求項８】
記録媒体に像を形成する像形成部と、
駆動源と、
前記駆動源から駆動が伝達されて回転し、記録媒体を搬送する回転体と、
画像形成装置本体に対して着脱可能であって、前記駆動源から前記回転体に駆動を伝達する伝達機構の少なくとも一部が収納されている構造体と、
前記構造体を支持する支持部材と、
を有し、
前記構造体は、前記支持部材の一方の面側からの作業で前記支持部材に対して装着可能であって、前記支持部材の他方の面側からの作業で前記支持部材から取り外し可能である画像形成装置。
【発明の詳細な説明】
【技術分野】
【０００１】
本発明は、駆動伝達装置及び画像形成装置に関する。
【背景技術】
【０００２】
特許文献１には、シートを搬送する搬送ローラを駆動する複数のギヤを有するギヤユニットと、前記ギヤユニットが有する一対の遊星ギヤ機構の一部のギヤの回転及び停止を切替え可能である回転停止切替手段と、前記一対の遊星ギヤ機構の回転中心軸方向で前記一対の遊星ギヤ機構とオーバーラップする位置に配置され、前記回転停止切替手段を駆動する駆動手段と、を備え、前記一部のギヤの回転及び停止を切替えて前記搬送ローラの正方向回転及び逆方向回転を切替えることを特徴とする搬送ローラ駆動機構が記載されている。
【先行技術文献】
【特許文献】
【０００３】
【特許文献１】特開２０１１−１４０９８０号公報
【発明の概要】
【発明が解決しようとする課題】
【０００４】
本発明は、構造体を取り外しやすくすることができる駆動伝達装置及び画像形成装置を提供することを目的とする。
【課題を解決するための手段】
【０００５】
請求項１に係る本発明は、駆動源と、前記駆動源から駆動が伝達されて回転する回転体と、駆動伝達装置本体に対して着脱可能であって、前記駆動源から前記回転体に駆動を伝達する伝達機構の少なくとも一部が収納されている構造体と、前記構造体を支持する支持部材と、第１の固定具を用いて前記支持部材に対して固定されていて、第２の固定具を用いて前記構造体に固定されていて、前記構造体と前記支持部材とを結合する結合部材と、を有し、前記結合部材は、前記支持部材の一方の面側から前記第１の固定具が装着される第１の装着部と、前記支持部材の他方の面側から前記第２の固定具が装着される第２の装着部とが形成されている駆動伝達装置である。
【０００６】
請求項２に係る本発明は、前記結合部材は、前記構造体を重力方向における下側から支持する支持部を有する請求項１記載の駆動伝達装置である。
【０００７】
請求項３に係る本発明は、前記駆動伝達装置本体は、前記構造体を着脱するための開口部を形成可能であって、前記構造体は、複数の前記第２の固定具を用いて前記結合部材に対して固定され、複数の前記第２の固定具にそれぞれ対応するように、複数の前記第２の装着部が形成されていて、複数の前記第２の装着部は、前記開口部からの距離が大きいものほど、前記支持部材からの距離が大きくなるように配置されている請求項１又は２記載の駆動伝達装置である。
【０００８】
請求項４に係る本発明は、前記構造体は、前記第２の装着部から取り外された前記第２の固定具が落下することを防止する落下防止部を有する請求項１乃至３いずれか記載の駆動伝達装置である。
【０００９】
請求項５に係る本発明は、前記伝達機構は、前記回転体の回転方向を切り替える切替機構を有し、前記切替機構は、前記構造体に収納されている請求項１乃至４いずれか記載の駆動伝達装置である。
【００１０】
請求項６に係る本発明は、駆動源と、前記駆動源から駆動が伝達されて回転する回転体と、駆動伝達装置本体に対して着脱可能であって、前記駆動源から前記回転体に駆動を伝達する伝達機構の少なくとも一部が収納されている構造体と、前記構造体を支持する支持部材と、を有し、前記構造体は、前記支持部材の一方の面側からの作業で前記支持部材に対して装着可能であって、前記支持部材の他方の面側からの作業で前記支持部材から取り外し可能である駆動伝達装置である。
【００１１】
請求項７に係る本発は、記録媒体に像を形成する像形成部と、駆動源と、前記駆動源から駆動が伝達されて回転し、記録媒体を搬送する回転体と、画像形成装置本体に対して着脱可能であって、前記駆動源から前記回転体に駆動を伝達する伝達機構の少なくとも一部が収納されている構造体と、前記構造体を支持する支持部材と、第１の固定具を用いて前記支持部材に対して固定されていて、第２の固定具を用いて前記構造体に固定されていて、前記構造体と前記支持部材とを結合する結合部材と、を有し、前記結合部材は、前記支持部材の一方の面側から前記第１の固定具が装着される第１の装着部と、前記支持部材の他方の面側から前記第２の固定具が装着される第２の装着部とが形成されている画像形成装置である。
【００１２】
請求項８に係る本発明は、記録媒体に像を形成する像形成部と、駆動源と、前記駆動源から駆動が伝達されて回転し、記録媒体を搬送する回転体と、画像形成装置本体に対して着脱可能であって、前記駆動源から前記回転体に駆動を伝達する伝達機構の少なくとも一部が収納されている構造体と、前記構造体を支持する支持部材と、を有し、前記構造体は、前記支持部材の一方の面側からの作業で前記支持部材に対して装着可能であって、前記支持部材の他方の面側からの作業で前記支持部材から取り外し可能である画像形成装置である。
【発明の効果】
【００１３】
請求項１に係る本発明によれば、第１の固体具と第２の固定具とが結合部材に対して同じ側から装着される駆動伝達装置を比較して、構造体を取り外しやすくすることができる。
【００１４】
請求項２に係る本発明によれば、第１の固定具及び第２の固定部を取り外した際に支持部を有しない駆動伝達装置で生じる虞がある構造体の落下を生じにくくすることができる。
【００１５】
請求項３に係る本発明によれば、複数の第２の被装着部が開口部からの距離が大きいものほど支持部からの距離が小さくなるように配置されている駆動伝達装置や、複数の第２の被装着部が開口部からの距離にかかわらず支持部からの距離が同じとなるように配置されている駆動伝達装置と比較して、開口部を介しての第２の被装着部に対する第２の固定具の着脱を行いやすくすることができる。
【００１６】
請求項４に係る本発明によれば、落下防止部を有しない駆動伝達装置と比較して、第２の固定具の落下を生じにくくすることができる。
【００１７】
請求項５に係る本発明によれば、構造体を交換することにより切替機構を交換することができる。
【００１８】
請求項６に係る本発明によれば、支持部材に対する構造体の装着と支持部材からの構造体の取り外しとを支持部材の同じ側から行う駆動伝達装置と比較して、構造体を駆動伝達装置から取り外しやすくすることができる。
【００１９】
請求項７に係る本発明によれば、第１の固体具と第２の固定具とが結合部材に対して同じ側から装着される画像形成装置を比較して、構造体を取り外しやすくすることができる。
【００２０】
請求項８に係る本発明によれば、支持部材に対する構造体の装着と支持部材からの構造体の取り外しとを支持部材の同じ側から行う画像形成装置と比較して、構造体を取り外しやすくすることができる。
【図面の簡単な説明】
【００２１】
【図１】本発明の実施形成に係る画像形成装置を示す斜視図である。
【図２】図１に示す画像形成装置の図１に示す面Ａにおける断面を前側から示す断面図である。
【図３】図１に示す画像形成装置が有する排出ロールに駆動を伝達する伝達機構を示すブロック図である。
【図４】図３に示す伝達機構の一部をなす伝達ユニットの構成を示すブロック図である。
【図５】図１に示す画像形成装置の図１に示す面Ｄにおける断面を上側から示す断面図である。
【図６】図１に示す画像形成装置の図１に示す面Ｂにおける断面を前側から示す断面図である。
【図７】図１に示す画像形成装置の図１に示す面Ｃにおける断面を後側から示す断面図である。
【図８】図３に示す伝達ユニットを示し、図８（ａ）は第１の斜視図であり、図８（ｂ）は第２の斜視図である。
【図９】図８に示す伝達ユニットを支持部材に装着するための構成を、図５に示す矢印ｄ−ｄ側から示す図である。
【図１０】図８に示す伝達ユニットを支持部材に対して装着する手順を説明し、図１０（ａ）は結合部材に対する伝達ユニットの装着を説明する図であり、図１０（ｂ）は、支持部材に対する結合部材の装着を説明する図である。
【図１１】図８に示す伝達ユニットを支持部材からの取り外す手順を説明し、図１１（ａ）は結合部材からの第２の螺子の取り外しを説明する図であり、図１０（ｂ）は結合部材からの伝達ユニットの取り外しを説明する図である。
【発明を実施するための形態】
【００２２】
次に、本発明を実施するための形態を図面を参照して説明する。図１には、画像形成装置１０が示されている。画像形成装置１０は、本発明の実施形態に係る画像形成装置であるとともに、本発明の実施形態に係る駆動伝達装置であって、図１に示すように画像形成装置本体２０を有する。画像形成装置本体２０は、駆動伝達装置本体としても用いられている。画像形成装置本体２０には、上側の面に窪みが形成されていて、この窪みが形成された部分が、記録媒体として用いられている用紙が排出される排出部２４として用いられている。
【００２３】
図２には、画像形成装置１０の図１に示す面Ａにおける断面が前側（図１における矢印ａ側）から示されている。図２に示すように、画像形成装置本体２０には、排出部２４へと用紙を排出する排出口２２が形成されている。
【００２４】
また、図２に示すように、画像形成装置本体２０内には、用紙にトナー像を形成する像形成部１００が配置されている。像形成部１００は、トナー像を保持する像保持体として用いられている感光体ドラム１０２と、感光体ドラム１０２の表面を均一に帯電する帯電装置１０４と、帯電装置１０４により均一に帯電された感光体の表面に静電潜像を形成する潜像形成装置１０６と、潜像形成装置１０６によって形成された潜像をトナーとキャリアとが混合されてなる現像剤を用いて現像する現像装置１１０と、現像装置１１０によって潜像が現像されることで感光体ドラム１０２の表面に形成されたトナー像を用紙に転写する転写装置１１２と、転写装置１１２によってトナー像が用紙に転写された後に、感光体ドラム１０２の表面に残留するトナー等を清掃する清掃装置１１４とを有する。
【００２５】
また、図２に示すように、画像形成装置本体２０内には、用紙に転写されたトナー像を用紙に定着させる定着装置１４０が配置されている。定着装置１４０は、内部に熱源１４４が配置された加熱ロール１４２と、加熱ロール１４２に対して用紙を押し付ける押付ロール１４６とを有し、熱と圧力とにより用紙に対してトナー像を用紙に定着させる。
【００２６】
また、図２に示すように、画像形成装置本体２０内には、給紙装置２００が配置されている。給紙装置２００は像形成部１００に用紙を供給する装置であり、積層された状態にある用紙を収納する用紙収納部２０２と、用紙収納部２０２に収納された用紙を後述する搬送路３００へと送り出す送出ロール２０４とを有する。
【００２７】
また、図２に示すように、画像形成装置本体２０内には用紙を搬送するための搬送路３００が形成されている。搬送路３００は、主搬送路３０２と反転搬送路３０４とを有する。そして、主搬送路３０２に沿って、主搬送路３０２による用紙の搬送方向における上流が側から順に、先述の送出ロール２０４と、レジストロール３１０と、先述の転写装置１１２及び先述の感光体ドラム１０２と、先述の定着装置１４０と、排出ロール３２０とが配置されている。また、反転搬送路３０４に沿って、反転搬送路３０４における用紙の搬送方向における上流側から順に、例えば２つの搬送ロール３３０、搬送ロール３３２が配置されている。
【００２８】
レジストロール３１０は、給紙装置２００から供給された用紙の先端部の移動を一時的に停止させ、感光体ドラム１０２の表面にトナー像が形成されるタイミングに合致させるように、感光体ドラム１０２と転写装置１１２とで形成される転写部への用紙の先端部の移動を再開させる。
【００２９】
転写装置１１２は、印加されている転写バイアスによって感光体ドラム１０２の表面に形成されたトナー像を用紙へと静電的に転写させる。
【００３０】
排出ロール３２０は、駆動源として用いられている後述するモータ４８０（図３、図５、図６、図７を参照）から駆動が伝達されて回転する回転体として用いられている。また、排出ロール３２０は、定着装置１４０によってトナー像が定着された用紙を排出口２２を通過させるようにして排出部２４に向けて排出する。また、一方の面にトナー像が形成された用紙の他方の面にもトナー像を形成する場合には、用紙の後端部近傍が排出ロール３２０に到達したタイミングで排出ロール３２０が逆方向の回転を開始し、排出ロール３２０は用紙を後端部側から反転搬送路３０４へと送り出す。
【００３１】
また、排出ロール３２０は、回転軸３２２と、回転軸３２２と一体として回転するように回転軸３２２に対して固定されているロール本体部３２４とを有する。排出ロール３２０は、例えば複数のロール本体部３２４有し、例えば４個のロール本体部３２４を有する（図５を参照）。
【００３２】
搬送ロール３３０と搬送ロール３３２とは、一方の面にトナー像が形成された用紙を反転させつつ、その用紙をレジストロール３１０へと向けて搬送する。
【００３３】
図３は、排出ロール３２０に駆動を伝達する伝達機構４００の構成を示すブロック図である。図３に示すように、伝達機構４００は、第１の伝達機構４１０と、第２の伝達機構４２０と、伝達ユニット４３０とを有し、第１の伝達機構４１０と、第２の伝達機構４２０と、伝達ユニット４３０とを介してモータ４８０から排出ロール３２０へと駆動を伝達する。
【００３４】
第１の伝達機構４１０及び第２の伝達機構４２０としては、例えば単数のギアや複数のギアからなるギア群等をそれぞれに用いることができる。伝達ユニット４３０は、画像形成装置本体２０（図１を参照）に対して着脱可能な構造体として用いられている。伝達ユニット４３０の詳細は後述する。
【００３５】
図４は、伝達ユニット４３０の構成を示すブロック図である。図４に示すように、伝達ユニット４３０は、第１のクラッチ４４２と、第２のクラッチ４４４と、正回転用伝達機構４４６と、逆回転用伝達機構４４８とを有する。第１のクラッチ４４２は、図示を省略する制御部に制御されることにより、第２の伝達機構４２０からの駆動を正回転用伝達機構４４６へ伝達するか、第２の伝達機構４２０からの駆動が正回転用伝達機構４４６へと伝達されないように駆動を切断する。
【００３６】
正回転用伝達機構４４６は、第１のクラッチ４４２を介して第２の伝達機構４２０から伝達された駆動を排出ロール３２０へと伝達し、排出ロール３２０を正回転させる。ここので、排出ロール３２０の正回転とは、排出ロール３２０が排出部２４へと用紙を排出する方向の回転を指すものとする。正回転用伝達機構４４６としては、例えば単数のギアや、複数のギアからなるギア群等を用いることができる。
【００３７】
第２のクラッチ４４４は、図示を省略する制御部に制御されることにより、第２の伝達機構４２０からの駆動を逆回転用伝達機構４４８へ伝達するか、第２の伝達機構４２０からの駆動が逆回転用伝達機構４４８へと伝達されないように駆動を切断する。
【００３８】
逆回転用伝達機構４４８は、第２のクラッチ４４４を介して第２の伝達機構４２０から伝達された駆動を排出ロール３２０へと伝達し、排出ロール３２０を逆回転させる。ここで、排出ロール３２０の逆回転とは、排出ロール３２０が反転搬送路３０４へと用紙を搬送する方向の排出ロール３２０の回転を指すものとする。
【００３９】
以上のように構成された伝達ユニット４３０においては、図示を省略する制御部が第１のクラッチ４４２及び第２のクラッチ４４４のいずれか一方に駆動を伝達させることにより、排出ロール３２０の回転方向が正回転と逆回転との間で切り替えられる。すなわち、第１のクラッチ４４２及び第２のクラッチ４４４は、排出ロール３２０の回転方向を切り替える切替機構として用いられている。
【００４０】
以上のように、伝達ユニット４３０には、モータ４８０から排出ロール３２０に駆動を伝達する伝達機構４００の一部が収納されている。伝達ユニット４３０に伝達機構４００の一部を収納することに替えて、伝達ユニット４３０に伝達機構４００の全部を収納してもよい。すなわち、伝達ユニット４３０は、伝達機構４００の少なくとも一部を収納するものであればよい。
【００４１】
図５は、画像形成装置１０の図１に示す面Ｄにおける断面を上側（図１に示す矢印ｃ側）から示す断面図である。図５に示すように、画像形成装置本体２０は、外装カバー部３０と、本体フレーム部５０とを有する。外装カバー部３０は、画像形成装置１０の外壁を形成するものであり、前側カバー部材３２と、後側カバー部材３６と、前側カバー部材３２と後側カバー部材３６との間に位置する中央側カバー部材３４とを有する。前側カバー部材３２と、中央側カバー部材３４と。後側カバー部材３６とは、それぞれを例えば単独で本体フレーム部５０から取り外すことができる。
【００４２】
本体フレーム部５０は、外装カバー部３０によって囲われた空間内に配置されていて、前側フレーム部材５２と、後側フレーム部材５６と、前側フレーム部材５２と後側フレーム部材５６との間に位置する中央側フレーム部材５４とを有する。中央側フレーム部材５４は、伝達ユニット４３０を支持する支持部材として用いられていて、伝達ユニット４３０を支持している。より具体的には、中央側フレーム部材５４の前側の面５４Ｆに対して、中間ブラケット部材５１０を介して伝達ユニット４３０が装着されている。
【００４３】
このように、中間ブラケット部材５１０は、伝達ユニット４３０と中央側フレーム部材５４を結合するものであり、結合部材として用いられている。尚、中間ブラケット部材５１０の詳細は後述する。
【００４４】
伝達ユニット４３０は、中央側フレーム部材５４に対して、すなわち画像形成装置本体２０に対して着脱することができるようになっている。伝達ユニット４３０を中央側フレーム部材５４に対する着脱は、中央側カバー部材３４を本体フレーム部５０から取り外すことにより画像形成装置本体２０に上向きに形成される開口部６０を介してなされる。尚、図５においては、開口部６０を想像線（二点鎖線）で示している。以上のように、画像形成装置本体２０は、伝達ユニット４３０を着脱するための開口部６０を形成可能となっている。
【００４５】
伝達ユニット４３０の画像形成装置本体２０に対する着脱は、例えば、第１のクラッチ４４２や第２のクラッチ４４４（それぞれ図４を参照）の修理や、第１のクラッチ４４２や第２のクラッチ４４４の交換等の保守のためになされる。修理の際には、伝達ユニット４３０を画像形成装置本体２０から開口部６０を介して取り外し、画像形成装置本体２０から伝達ユニット４３０が取り外された状態で第１のクラッチ４４２等を修理し、第１のクラッチ４４２等の修理が完了した伝達ユニット４３０を開口部６０を介して画像形成装置本体２０に再び取り付ける。また、交換の際には、伝達ユニット４３０を開口部６０を介して画像形成装置本体２０から取り外し、取り外した伝達ユニット４３０とは別の例えば未使用の伝達ユニット４３０を開口部６０を介して画像形成装置本体２０に対して取り付ける。
【００４６】
また、図５に示すように、中央側フレーム部材５４の前側の面５４Ｆには、伝達ユニット４３０と併せて、先述の第２の伝達機構４２０が装着されている。また、中央側フレーム部材５４の後側の面５４Ｒには、先述の第１の伝達機構４１０と先述のモータ４８０とが装着されている。さらには、中央側フレーム部材５４の後側の面５４Ｒには、基板６１０、基板６１２や、送風装置６１４等が装着されている。
【００４７】
以上のように、中央側フレーム部材５４の後側の面５４Ｒには各種部品等が装着されていて、さらには中央側フレーム部材５４の後側（図５における上側）には、後側フレーム部材５６が配置されている。このため、伝達ユニット４３０を画像形成装置本体２０から取り外す際に、中央側フレーム部材５４の後側から作業をしようとすると、作業のための空間を確保するために、後側カバー部材３６を取り外した後に、後側フレーム部材５６を取り外したり、中央側フレーム部材５４の後側の面５４Ｒに装着されている各種部品等を中央側フレーム部材５４から取り外したりすることを要する。
【００４８】
一方、伝達ユニット４３０を画像形成装置本体２０から取り外す際に、中央側フレーム部材５４の前側（図５における下側）から作業をしようとする場合、中央側カバー部材３４を取り外すと、中央側フレーム部材５４と前側フレーム部材５２との間に作業のための空間が確保される。また、中央側カバー部材３４を取り外すことで、先述のように開口部６０が形成され、開口部６０を介して画像形成装置本体２０に対して伝達ユニット４３０を着脱することができるようになる。
【００４９】
図６は、画像形成装置１０の図１に示す面Ｂにおける断面を前側（矢印ａ側）から示す断面図であり、図７は、画像形成装置１０の図１に示す面Ｃにおける断面を後側（矢印ｂ側）から示す断面図である。先述のように伝達ユニット４３０は、中間ブラケット部材５１０を介して中央側フレーム部材５４の前側の面５４Ｆに取り付けられている。また、先述のように第２の伝達機構４２０は中央側フレーム部材５４の前側の面５４Ｆに取り付けられていて、第１の伝達機構４１０とモータ４８０とは、中央側フレーム部材５４の後側の面５４Ｒに取り付けられている。
【００５０】
図８には、伝達ユニット４３０と中間ブラケット部材５１０とが示されている。図８に示すように、伝達ユニット４３０は伝達ユニット本体４３２を有し、伝達ユニット４３０内に、先述の第１のクラッチ４４２と、正回転用伝達機構４４６と、第２のクラッチ４４４と、逆回転用伝達機構４４８（それぞれ図４を参照）とが収納されている。
【００５１】
また、図８に示すように、中間ブラケット部材５１０と伝達ユニット４３０とは、第２の螺子５３０と第２の螺子５３２とを用いて互いに固定されている。ここで、第２の螺子５３０と第２の螺子５３２とは、それぞれが第２の固定部材として用いられている。中間ブラケット部材５１０と伝達ユニット４３０とを２つの第２の螺子を用いて固定することに替えて、中間ブラケット部材５１０と伝達ユニット４３０とを３個以上の第２の螺子を用いて固定してもよい。
【００５２】
また、図８に示すように、伝達ユニット４３０は、中間ブラケット部材５１０及び伝達ユニット４３０から取り外された第２の螺子５３０と第２の螺子５３２とが、落下することをそれぞれに防止する落下防止部４３４と落下防止部４３６とを有している。落下防止部４３４は、取り外され第２螺子５３０の重力方向における下側に配置された面と、取り外された第２の螺子５３０の両側に位置する２つの側面とを有し、落下防止部４３６は、取り外され第２螺子５３２の重力方向における下側に配置された面と、取り外された第２の螺子５３２の両側に位置する２つの側面とを有する。
【００５３】
また、図８（ｂ）には、中間ブラケット部材５１０と中央側フレーム部材５４（例えば図５を参照）とを互いに固定する第１の螺子５２０と第１の螺子５２２とが、中間ブラケット部材５１０に取り付けられた状態が示されている。中間ブラケット部材５１０と中央側フレーム部材５４とを２つの第１の螺子を用いて固定することに替えて、中間ブラケット部材５１０と中央側フレーム部材５４とを３個以上の第１の螺子を用いて固定してもよい。
【００５４】
図９には、伝達ユニット４３０を中央側フレーム部材５４に対して固定する構成が示されている。先述のように、伝達ユニット４３０は、中間ブラケット部材５１０を介して中央側フレーム部材５４に対して固定されている。
【００５５】
図９に示すように、中間ブラケット部材５１０には、第１の螺子５２０が装着される第１の螺子孔５４０と、第１の螺子５２２が装着される第１の螺子孔５４２とが形成されている。ここで、第１の螺子孔５４０と第１の螺子孔５４２とは、それぞれが第１の装着部として用いられている。また、図９に示すように、中間ブラケット部材５１０には、第２の螺子５３０が装着される第２の螺子孔５５０と、第２の螺子５３２が装着される第２の螺子孔５５２とが形成されている。ここで、第２の螺子孔５５０と第２の螺子孔５５２とは、それぞれが第２の装着部として用いられている。
【００５６】
そして、先述のように第１の螺子５２０と第１の螺子５２２とを用いて中央側フレーム部材５４と中間ブラケット部材５１０とが固定されていて、第２の螺子５３０と第２の螺子５３２とを用いて中間ブラケット部材５１０と伝達ユニット４３０とが固定されている。
【００５７】
また。図９に示すように、第１の螺子孔５４０と第１の螺子孔５４２とは、中央側フレーム部材５４の一方の面である後側（図９における左側）の面５４Ｒの側から第１の螺子５２０と第１の螺子５２２とが装着されているに対して、第２の螺子孔５５０と第２の螺子孔５５２とには、中央側フレーム部材５４の他方の面である前側前側（図９における右側）の面５４Ｆの側から第２の螺子５３０と第２の螺子５３２とが装着されている。
【００５８】
また、図９に示すように、中間ブラケット部材５１０は、伝達ユニット４３０を重力方向における下側から支持する支持部５６０を有する。
【００５９】
また、図９に示すように、複数の第２の螺子孔であり、より具体的には２つの第２の螺子孔である第２の螺子孔５５０と第２の螺子孔５５２とは、開口部６０（図５を参照）からの距離が大きいものほど、中央側フレーム部材５４からの距離が長くなるように配置されている。すなわち、第２の螺子孔５５０と第２の螺子孔５５２とは、開口部６０からの距離が第２の螺子孔５５０よりも大きい第２の螺子孔５５２が、第２の螺子孔５５０よりも中央側フレーム部材５４からの距離が大きくなるように配置されている。
【００６０】
以上のように第２の螺子孔５５０と第２の螺子孔５５２とが配置されているため、第２の螺子孔５５０と第２の螺子孔５５２とが中央側フレーム部材５４と等距離にある場合や、中央側フレーム部材５４からの距離が、第２の螺子孔５５２よりも第２の螺子孔５５０が大きい場合と比較して、開口部６０の外側から第２の螺子孔５５２を確認しやすくすることができ、第２の螺子孔５５２に対する第２の螺子５３２の装着を行いやすくすることができる。
【００６１】
図１０には、伝達ユニット４３０を中央側フレーム部材５４に装着する手順が説明されている。伝達ユニット４３０を中央側フレーム部材５４に装着するには、まず、図１０（ａ）に示すように、第２の螺子５３０と第２の螺子５３２とを用いて伝達ユニット４３０を中間ブラケット部材５１０に対して固定する。伝達ユニット４３０の中間ブラケット部材５１０に対して固定は、画像形成装置本体２０内で行うことを要せず、画像形成装置本体２０の内以外の場所で行うことができる。
【００６２】
次に、伝達ユニット４３０が固定された中間ブラケット部材５１０を、第１の螺子５２０と第１の螺子５２２とを用いて中央側フレーム部材５４に対して固定する。この際、第１の螺子５２０と第１の螺子５２２とを、第１の螺子孔５４０と第１の螺子孔５４２とに対して装着する操作は、中央側フレーム部材５４よりも後側（図１０（ｂ）における左側）からなされる。
【００６３】
この中間ブラケット部材５１０の中央側フレーム部材５４に対する固定は、画像形成装置１０の製造時になされるものである。そして、この中間ブラケット部材５１０の中央側フレーム部材５４に対する固定時においては、中央側フレーム部材５４の後側の面５４Ｒには、例えば基板６１０（図５参照）等が未だ装着されていないし、後側フレーム部材５６（図５を参照）が未だ装着されていないし、後側カバー部材３６が未だ装着されていない。このため、中央側フレーム部材５４の後側に作業のための空間が確保される。
【００６４】
図１１には、伝達ユニット４３０を中央側フレーム部材５４から取り外す手順が説明されている。伝達ユニット４３０を中央側フレーム部材５４から取り外すには、まず、図１１（ａ）に示すように、第２の螺子５３０を第２の螺子孔５５０から取り外し、第２の螺子５３２を第２の螺子孔５５２から取り外す。この第２の螺子５３０と第２の螺子５３２との取り外しは、例えば伝達ユニット４３０の交換等を目的としてなされるものであり、工場から画像形成装置１０が出荷された後になされるものである。
【００６５】
このため、中央側フレーム部材５４の後側の面５４Ｒには、例えば基板６１０（図５参照）等が既に装着されているし、後側フレーム部材５６（図５を参照）が既に装着されている。このため、中央側フレーム部材５４の後側に作業のための空間が確保されていない。このため、第２の螺子５３０と第２の螺子５３２との取り外しは、開口部６０（図５を参照）を介し、例えばドライバ等の工具を画像形成装置本体２０内に挿入し、中央側フレーム部材５４の前側（図１１（ａ）における右側）からなされる。
【００６６】
次に、図１１（ｂ）に示されているように、中央側フレーム部材５４に対して固定されている中間ブラケット部材５１０から伝達ユニット４３０を取り外し、取り外した伝達ユニット４３０を開口部６０を介して画像形成装置本体２０の外側へと取り出す。
【００６７】
以上のように、伝達ユニット４３０は、中央側フレーム部材５４の一方の面の側である後側からの作業によって中央側フレーム部材５４に対して装着可能であって、中央側フレーム部材５４の他方の面の側である中央側フレーム部材５４の前側からの作業によって中央側フレーム部材５４から取り外し可能である。
【産業上の利用可能性】
【００６８】
以上で説明をしたように、本発明は、駆動伝達装置と、例えば複写機、ファクシミリ装置、プリンター等の画像形成装置とに適用することができる。
【符号の説明】
【００６９】
１０・・・画像形成装置
２０・・・画像形成装置本体
５４・・・中央側フレーム部材
５４Ｆ・・・前側の面
５４Ｒ・・・後側の面
６０・・・開口部
４００・・・伝達機構
４３０・・・伝達ユニット
４３４、４３６・・・落下防止部
４８０・・・モータ
５１０・・・中間ブラケット部材
５２０、５２２・・・第１の螺子
５３０、５３２・・・第２の螺子
５４０、５４２・・・第１の螺子孔
５５０、５５２・・・第２の螺子孔
【図１】
2017040793.tif 000003
【図２】
2017040793.tif 000004
【図３】
2017040793.tif 000005
【図４】
2017040793.tif 000006
【図５】
2017040793.tif 000007
【図６】
2017040793.tif 000008
【図７】
2017040793.tif 000009
【図８】
2017040793.tif 000010
【図９】
2017040793.tif 000011
【図１０】
2017040793.tif 000012
【図１１】
2017040793.tif 000013